(57)【要約】      （修正有）【課題】電池が本来挿入されるべき位置まで挿入されていない場合に電池蓋の閉じる動作の初期段階でユーザーに知覚できるようにすることで、電池のロック部材を保護する電池室ユニットを有した電子機器を提供する。【解決手段】電池を収容する電池室１１０と、電池室１１０の開口を開閉する蓋２００と、電池蓋２００の開閉動作と連動する当接部２１０と蓋２００を回動可能に支持する軸２０５と、電池が電池室１１０から排出されることを規制する位置と規制を解除する位置に移動可能なロック部材２０２と、を有し、ロック部材２０２が規制を解除位置にある際に、蓋２００の開閉動作により当接部２１０がロック部材２０２に接触することで、蓋２００の開閉動作を規制する。【選択図】図５
2017032616.tif 000002
【特許請求の範囲】
【請求項１】
電池を収容する電池室（１１０）と、
前記電池室（１１０）の開口を開閉する蓋（２００）と、
前記電池蓋（２００）の開閉動作と連動する当接部（２１０）と
前記蓋（２００）を回動可能に支持する軸（２０５）と、
前記電池が該電池室（１１０）から排出されることを規制する位置と規制を解除する位置に移動可能なロック部材（２０２）と、を有し、
前記ロック部材（２０２）が規制を解除位置にある際に、前記蓋（２００）の開閉動作により前記当接部（２１０）が前記ロック部材（２０２）に接触することで、前記蓋（２００）の開閉動作を規制することを特徴とする電子機器。
【請求項２】
前記ロック部材（２０２）は前記軸（２０５）に保持され、前記軸（２０５）の軸方向に移動可能であり、前記当接部（２１０）は前記ロック部材（２０２）の移動投影内に配置されることを特徴とする請求項１に記載の電子機器。
【請求項３】
前記ロック部材（２０２）をロック位置へ付勢する付勢手段（２０４）を備え、前記付勢手段（２０４）は前記蓋（２００）を開き方向へも付勢することを特徴とする請求項１又は請求項２に記載の電子機器。
【請求項４】
前記当接部（２１０）は前記ロック部材（２０２）と同材料、あるいは、同硬度の材料であることを特徴とする請求項１乃至請求項３の何れか一項に記載の電子機器。
【発明の詳細な説明】
【技術分野】
【０００１】
本発明は、電池収納部が設けられた電子機器に関し、特に電池室ユニットの破損防止構造に関する。
【背景技術】
【０００２】
従来、デジタルカメラなどの携帯可能な電子機器には電源として電池が搭載されており、その電池が取り外し可能な機器の場合、電池を挿脱可能に収納できる電池室ユニットを備えている。その電池室ユニットには電池を収容する電池収容部や電池を挿脱可能とする電池挿脱口が形成され、その電池挿脱口を覆う開閉自在な電池蓋が備えられる。その電池蓋には剛性確保の目的から板金部材が電池蓋の可動部や電池蓋全体を保持するように設けられることがある。また、前記電池室ユニットは電池の意図しない落下を防ぐため電池の挿脱ロック機構を有するものがある。特許文献１には、電池挿脱口を覆う板金部材により開閉自在に支持される電池蓋と電池挿脱方向に直交する方向に回動して電池が不用意に抜けないように係止する挿脱ロック機構が開示されている。
【先行技術文献】
【特許文献】
【０００３】
【特許文献１】特許第４２９７０３８号公報
【発明の概要】
【発明が解決しようとする課題】
【０００４】
しかしながら、特許文献１に開示されている電池室の構成では、電池が本来挿入されるべき位置まで挿入されずにロック部材が退避位置にいる状態で電池蓋を閉める途中で、電池蓋を構成する板金部材がロック部材と干渉する場合がある。その状態から、さらに最後まで電池蓋を閉じ切ろうとすると板金部材がロック部材を破損させる恐れがある。
【０００５】
そこで、本発明の目的は、電池が本来挿入されるべき位置まで挿入されていない場合に電池蓋の閉じる動作の初期段階でユーザーに知覚できるようにすることで、電池のロック部材を保護する電池室ユニットを有した電子機器を提供することにある。
【課題を解決するための手段】
【０００６】
上記の目的を達成するために、本発明に係る電子機器は、
電池を収容する電池室（１１０）と、
前記電池室（１１０）の開口を開閉する蓋（２００）と、
前記電池蓋（２００）の開閉動作と連動する当接部（２１０）と
前記蓋（２００）を回動可能に支持する軸（２０５）と、
前記電池が該電池室（１１０）から排出されることを規制する位置と規制を解除する位置に移動可能なロック部材（２０２）と、を有し、
前記ロック部材（２０２）が規制を解除位置にある際に、前記蓋（２００）の開閉動作により前記当接部（２１０）が前記ロック部材（２０２）に接触することで、前記蓋（２００）の開閉動作を規制することを特徴とする。
【発明の効果】
【０００７】
本発明によれば、ユーザーが予期しない操作をした場合でも、部品を破損させる前に誤操作をユーザーに知覚させることができる電子機器を提供することができる。
【図面の簡単な説明】
【０００８】
【図１】本発明の実施形態に係るデジタルカメラの外観を示す斜視図である。
【図２】本発明の実施形態に係る電池挿脱ロック機構及び電池蓋の構成を示す展開図である。
【図３】本発明の実施形態に係るロック部材の回転規制を示す断面図である。
【図４】本発明の実施形態に係る電池挿脱ロック機構及び付勢手段の動作を示す断面図及び底面図である。
【図５】本発明の実施形態に係る電池挿脱ロック解除状態で電池蓋を閉めようとした場合の説明図である。
【図６】本発明の実施形態に係る電池挿脱ロック状態における電池蓋を閉じた状態の断面図である。
【発明を実施するための形態】
【０００９】
以下に、本発明の好ましい実施の形態を、添付の図面に基づいて詳細に説明する。ここでは、本発明に係る電子機器としてデジタルカメラを例に説明することとするが、本発明はこれに限定されるものではない。
【００１０】
図１は本発明の実施形態に係るデジタルカメラの外観を示す斜視図である。図１（ａ）はデジタルカメラを斜め正面上方から見た外観斜視図であり、図１（ｂ）はデジタルカメラを斜め背面下方から見た外観斜視図である。
【００１１】
図１（ａ）、（ｂ）に示すように、デジタルカメラ１００のカメラ本体１０１の正面部１には、被写体の光線を光学像として結像し、その光学像を電気信号に変換するための沈胴式の鏡筒部及び撮像素子を備える撮像ユニット１０２が設けられている。また、カメラ本体１０１の上面部２には、各種撮影モードを切り替えるモードダイヤル１０３とデジタルカメラ１００の動作／非動作状態を切り替える電源ボタン１０４と操作されることで撮影を行うレリーズボタン１０５が配置されている。また、カメラ本体１０１の背面部３には、各種機能が割り当てられた操作ボタン１０６やタッチパネル式の表示部１０７が設けられている。カメラ本体１０１の底面部４には、回動可能な電池蓋２００やユーザーが操作可能な操作部２０１ｂをスライド操作することで電池蓋２００の回動を規制することができる操作部材２０１を備えている。
【００１２】
デジタルカメラ１００に電源である後述する電池３００が装着された状態において、ユーザーが電源ボタン１０４を押下するとデジタルカメラ１００は動作状態となり、撮像ユニット１０２の沈胴式の鏡筒部が繰り出される。デジタルカメラ１００が動作状態において、ユーザーが電源ボタン１０４を押下すると沈胴式の鏡筒部が繰り込まれてカメラ本体１０１に収納され非動作状態になる。なお、図１（ａ）は非動作状態を示している。
【００１３】
デジタルカメラ１００が動作状態の時、ユーザーがレリーズボタン１０５を押下すると撮影準備動作（焦点検出動作および測光動作）を経て被写体を撮影することができる。撮影後、撮像素子から得られた電気信号は不図示の電気回路により所定の処理を施され後述する外部記録媒体３０１（ＳＤカード）に画像データとして記録される。また、動作状態でモードダイヤル１０３を回転させるとシャッター速度と絞り値をユーザーが任意に設定可能なマニュアル撮影モード、自動で適正な露光量が得られるオート撮影モード、動画撮影モード等といった各種撮影モードを切り替えることができる。
【００１４】
デジタルカメラ１００の動作状態において、表示部１０７には撮像ユニット１０２から出力される被写体像がリアルタイムで映される。同時に、シャッタースピードや絞り値等の各種撮影パラメータの設定メニュー等が表示され、ユーザーは操作ボタン１０６や表示部１０７を操作することにより撮影パラメータの設定変更が可能となっている。
【００１５】
図１（ｃ）は図１（ｂ）で示す状態から電池蓋２００が開いた状態を示す斜視図である。図１（ｃ）に示すように、カメラ本体１０１の電池蓋２００が開いた状態ではデジタルカメラ１００の電源である電池３００が挿脱可能となる。
【００１６】
なお、本実施形態では電池蓋２００を開いた状態において、電池３００だけでなく外部記録媒体３０１（ＳＤカード）も脱着可能となっている。
【００１７】
次に図１（ｂ）、（ｃ）に示した電池蓋２００の構成について詳しく述べる。図２は図１の電池蓋２００周辺の内部の構成を説明するための展開図である。
【００１８】
同図において、電池室１１０は電池３００をデジタルカメラ１００の内部に収納保持するための筐体であり、後述するロック部材２０２、板金部材２０３、軸２０５を支持している。また、電池蓋２００の回転規制をするための穴部１１０ａやロック部材２０２の回転規制を行う溝１１０ｂや床面１１０ｃを備えている。
【００１９】
電池蓋２００は本体の外観面の一部を兼ね電池室１１０の電池３００や外部記録媒体３０１（ＳＤカード）を挿脱するための開口を覆う部材であり、当接部２１０を備える。当接部２１０の機能については後述する。
【００２０】
板金部材２０３は電池室１１０に支持される軸２０５と係合する軸穴を設けた腕部２０３ａと腕部２０３ｂを備え、軸２０５に対し回動可能に保持される。この板金部材２０３に電池蓋２００はビス２０６により固定されるため、電池室１１０に対し回動可能となる。
【００２１】
操作部材２０１は電池蓋２００と板金部材２０３の間の空間に摺動可能に保持され、図１（ｂ）で説明したように操作部２０１ｂが外観側から摺動方向に操作可能に露出する。操作部材２０１は電池蓋２００と板金部材２０３に挟まれることで、電池蓋２００の１平面上での平行移動のみ可能となるよう規制され、さらに板金部材２０３の２つの壁部２０３ｃにより矢印Ｘの１方向のみのスライド操作が可能となるように規制される。操作部材２０１には爪部２０１ａが備えられ、爪部２０１ａは電池蓋２００が閉じた状態における操作部材２０１のスライド操作により電池室１１０に設けられた穴部１１０ａに挿脱される。したがって、電池蓋２００は爪部２０１ａが穴部１１０ａに挿入される状態では開くことが規制されるようになっている。
【００２２】
ロック部材２０２は電池蓋２００が開いた状態で電池３００の取出し方向の移動を規制する部材であり、電池３００と接触し電池３００の移動を規制するロック先端部２０２ａを備えている。また、ロック部材２０２は軸２０５にスライド可能に係合し、板金部材２０３の腕部２０３ａ、２０３ｂの間をスライドする様に設置されることにより、電池３００の移動を規制しない位置に移動可能となっている。また、ロック部材２０２は軸２０５を中心に回転することが無いように後述する第１の規制リブ２０２ｂ、第２の規制リブ（どちらも図２には不図示）を備え、これらの規制リブが電池室１１０に設けられた溝１１０ｂ、床面１１０ｃにそれぞれ当接する。また、ロック部材２０２には後述する付勢部材２０４を保持する筒状部２０２ｄが備えられている。
【００２３】
付勢部材２０４は圧縮ばねである円筒コイル部２０４ｃを備えており、円筒コイル部２０４ｃは密着状態ではなく所定の巻き数と長さで巻かれている。さらに、付勢部材２０４はトーションばねとして動作するために固定腕２０４ａと可動腕２０４ｂを備えている。付勢部材２０４とロック部材２０２の組付き状態では、円筒コイル部２０４ｃの内径に筒状部２０２ｄが挿入され、固定腕２０４ａがロック部材２０２に係止される。一方、可動腕２０４ｂは付勢部材２０４が巻き線方向に付勢された状態で電池蓋２００に設けられた突起形状２００ａに係止されている。その結果、電池蓋２００は常に開く方向に付勢されるようになる。
【００２４】
このように、電池蓋２００、ロック部材２０２、付勢部材２０４が同一の軸２０５に支持されているので構成をコンパクトにすることができる。
【００２５】
次に、ロック部材２０２の回転規制について述べる。図３はロック部材２０２の回転規制を示す断面図である。
【００２６】
同図において、電池３００は不図示の電池排出部材によりユーザーが取り出し可能な位置まで電池室１１０から突出する様に付勢されているものとする。したがって、この状態においてロック部材２０２は電池３００とロック先端部２０２ａで当接しているので、図中上方向に常に付勢され、軸２０５を中心として時計回りに回転しようとする。そこで、ロック部材２０２にはこの回転を規制する第１の規制リブ２０２ｂ、さらに逆の回転を規制するために第２の規制リブ２０２ｃも設けられている。そして、ロック部材２０２の図中の時計回り方向の回転は第１の規制リブ２０２ｂが電池室１１０の溝１１０ｂに入り込みそれぞれの当接面が当接することで規制されるようになっている。図中の反時計回りの回転は、第２の規制リブ２０２ｃと電池室１１０の床面１１０ｃが当接することで規制される。したがって、ロック部材２０２は電池室１１０により軸２０５を中心とする両方向の回転を規制され、軸２０５に沿って移動するようになっている。
【００２７】
以下では、本実施形態の電池の挿脱ロック機構について述べる。図４はロック部材２０２の移動方向及び付勢手段について説明するための断面図及び底面図である。
【００２８】
図４（ａ）、（ｂ）の状態では、付勢部材２０４はロック部材２０２と腕部２０３ｂに挟まれやや圧縮された状態で保持されている。したがって、ロック部材２０２は図中上方向に常に付勢され、ロック先端部２０２ａと電池３００は挿脱方向で干渉する位置に保持される。
【００２９】
本実施形態の電池の挿脱ロック機構は、図４（ａ）、（ｂ）に示す状態からユーザーがロック部材２０２を図中下方向にスライド操作することで図４（ｃ）、（ｄ）で示す状態へと移行する。
【００３０】
図４（ｃ）、図４（ｄ）では、ロック先端部２０２ａは電池３００の挿脱方向において干渉しない位置に移動し電池３００は図示しない電池排出部材により押し上げられることになる。そのためロック部材２０２はユーザーが手を離しても電池３００の側面と干渉し、図４（ｃ）の状態が保持される。
【００３１】
以上で説明したようにロック部材２０２と電池蓋２００はそれぞれ独立に操作するようになっている。
【００３２】
次に、図４（ｃ）、（ｄ）の状態で電池蓋２００を閉じようとした場合について述べる。図５は図４（ｃ）、（ｄ）の状態で電池蓋２００を閉めようとした場合の説明図である。図５（ａ）は電池挿脱ロック解除状態で電池蓋２００を閉めようとした場合の当接部２１０周辺の斜視図、図５（ｂ）は図５（ａ）の状態の断面図である。
【００３３】
図５（ａ）、（ｂ）に示すように、ロック部材２０２が図４（ｃ）、（ｄ）の位置にいる場合、電池蓋２００を閉じると電池蓋２００は備えられた当接部２１０が最初にロック部材２０２に当接する位置に設けられているので電池蓋２００の閉じる動作が規制される。また、当接部２１０は電池蓋２００の軸２０５付近に設置されている。したがって、ユーザーは電池蓋２００の閉じる動作が初期段階で規制されることで電池３００が図４（ａ）、（ｂ）の状態ではないことを知覚でき、ロック部材２０２を保護することができる。なお、本実施形態では当接部２１０は電池蓋２００に設置したが、板金部材２０３の腕部２０３ｂなどの部材に設置しても良い。また、当接部２１０とロック部材２０２は同材料もしくは同硬度の材料を用いると接触しても傷つきにくいというメリットがある。
【００３４】
次に当接部２１０の別の働きについて述べる。図６は図４（ａ）、（ｂ）の状態における電池蓋２００を閉じた状態の断面図である。
【００３５】
電池蓋２００が閉じた状態において、当接部２１０は図４（ｃ）、（ｄ）の状態でのロック部材２０２の移動を規制する位置に設置される。したがって、落下などの衝撃でロック部材２０２が図中右方向へ移動しようとした場合には、当接部２１０がロック部材２０２の移動を規制することで電池３００のロックが解除されない構成となっている。
【００３６】
以上、本発明の好ましい実施形態について説明したが、本発明はこれらの実施形態に限定されず、その要旨の範囲内で種々の変更が可能であり、デジタルカメラに限らず、電池収容部と回動式の電池蓋を備える種々の電子機器に適応可能である。
【符号の説明】
【００３７】
１０１  カメラ本体、１１０  電池室、２００  電池蓋、２０１  操作部材、
２０２  ロック部材、２０３  板金部材、２０４  付勢部材、２０５  軸、
２１０  当接部、３００  電池
【図１】
2017032616.tif 000003
【図２】
2017032616.tif 000004
【図３】
2017032616.tif 000005
【図４】
2017032616.tif 000006
【図５】
2017032616.tif 000007
【図６】
2017032616.tif 000008